(57)【要約】      （修正有）【課題】使用者による画像形成装置の異常解除の作業を要することなく、停止していた画像形成動作を再開できる画像形成装置を提供すること。【解決手段】プリンタ１００は、低圧電源５０と、複数の駆動部としてメインモータ駆動部２１、プロセスモータ駆動部２２、ポリゴンモータ駆動部２３、ファン駆動部２４および高圧電源駆動部２５を有し、これらの駆動によってシートに画像を形成する画像形成動作を実行する画像形成部１０と、制御部３０と、を備える。制御部は、画像形成部が画像形成動作の実行中に、複数の駆動部からの少なくとも１つの異常信号の入力に応じて、画像形成部の画像形成動作を停止させる。また、制御部は、入力された異常信号の数が２以上であって、かつ、異常信号を出力した２以上の駆動部のそれぞれに係る負荷量の総和が閾値よりも大きい場合である第１の場合において、画像形成部の停止中の画像形成動作を再開させる。【選択図】図２
2020166062.tif 000002
【特許請求の範囲】
【請求項１】
商用電源から供給される電力を変換して出力電圧を出力する電源部と、
前記出力電圧によって駆動する複数の駆動部を有し、前記複数の駆動部の駆動によってシートに画像を形成する画像形成動作を実行する画像形成部と、
制御部と、
を備え、
前記制御部は、
前記画像形成部が前記画像形成動作の実行中に、前記複数の駆動部からの少なくとも１つの異常信号の入力に応じて、前記画像形成部の前記画像形成動作を停止させ、
入力された前記異常信号の数が２以上であって、かつ、前記異常信号を出力した２以上の前記駆動部のそれぞれに係る消費電力の総和が閾値よりも大きい場合である第１の場合において、前記画像形成部の停止中の前記画像形成動作を再開させることを特徴とする画像形成装置。
【請求項２】
前記制御部は、
前記第１の場合であると決定した回数が所定回数以上の場合、前記画像形成部の前記画像形成動作を再開させることなく停止を継続させることを特徴とする請求項１に記載の画像形成装置。
【請求項３】
前記画像形成部の動作状態に応じて、前記複数の駆動部のそれぞれに係る消費電力が予め決定されており、
前記制御部は、
前記消費電力の総和を算出する際に、前記画像形成動作の実行中に該当する前記消費電力に基づいて、前記消費電力の総和を算出することを特徴とする請求項１または２に記載の画像形成装置。
【請求項４】
前記複数の駆動部は、第１駆動部および第２駆動部を含み、
前記画像形成部が標準の動作速度で前記画像形成動作を実行する場合、少なくとも、前記第１駆動部の消費電力として第１標準消費電力、前記第２駆動部の消費電力として第２標準消費電力、がそれぞれ決定されていて、
前記画像形成部が前記標準の動作速度よりも遅い動作速度で前記画像形成動作を実行する場合、少なくとも、前記第１駆動部の消費電力として前記第１標準消費電力より小さい第１低速消費電力、前記第２駆動部の消費電力として前記第２標準消費電力より小さい第２低速消費電力がそれぞれ決定されていることを特徴とする請求項３に記載の画像形成装置。
【請求項５】
前記制御部は、
前記第１の場合であって、かつ、前記シートが前記画像形成部内を搬送されていない場合は、前記画像形成部の前記画像形成動作を再開させ、
前記第１の場合、および、前記シートが前記画像形成部内を搬送されている場合、および、前記異常信号を出力した前記２以上の前記駆動部のうちの少なくとも１つが前記シートを搬送する部品を動作させる前記駆動部であった場合、前記画像形成部の前記画像形成動作を再開させることなく停止を継続させることを特徴とする請求項１から４のいずれか１項に記載の画像形成装置。
【請求項６】
前記制御部は、
前記第１の場合、および、前記シートが前記画像形成部内を搬送されている場合、および、前記異常信号を出力した前記２以上の前記駆動部のすべてが前記シートを搬送する部品を動作させる前記駆動部でない場合、
前記画像形成部の前記画像形成動作中の前記シートの排出動作を完了させてから、前記画像形成動作を別の前記シートへの前記画像形成動作を再開させることを特徴とする請求項５に記載の画像形成装置。
【請求項７】
商用電源から供給される電力を変換して出力電圧を出力する電源部と、
前記出力電圧によって駆動する複数の駆動部を有し、前記複数の駆動部の駆動によってシートに画像を形成する画像形成動作を実行する画像形成部と、
制御部と、
を備えた画像形成装置の制御方法であって、
前記制御部が、前記画像形成部が前記画像形成動作の実行中に、前記複数の駆動部からの少なくとも１つの異常信号の入力に応じて、前記画像形成部の前記画像形成動作を停止させる停止ステップと、
入力された前記異常信号の数が２以上であって、かつ、前記異常信号を出力した２以上の駆動部のそれぞれに係る消費電力の総和が閾値よりも大きい場合である第１の場合において、前記画像形成部の停止中の前記画像形成動作を再開させる再開ステップと、を含むことを特徴とする画像形成装置の制御方法。
【発明の詳細な説明】
【技術分野】
【０００１】
本発明は、画像形成装置および画像形成装置の制御方法に関する。さらに詳細には、一旦停止した画像形成動作を再開させる処理に関するものである。
【背景技術】
【０００２】
従来から、画像形成装置にエラーが発生しても印刷を再開できるようにすべく、様々な技術が研究開発されている。例えば特許文献１の画像形成装置は、エラーが発生すると、エラー情報を表示パネルに表示させ、ユーザが入力部から入力することによって画像形成装置のエラーが解除されていた。
【先行技術文献】
【特許文献】
【０００３】
【特許文献１】特開２０１５−１８２３５７号公報（２０１５年１０月２２日公開）
【発明の概要】
【発明が解決しようとする課題】
【０００４】
特許文献１の画像形成装置では、シートに画像を形成する画像形成中に画像形成装置の異常が発生した場合、画像形成を停止する。そして、使用者が入力部からの入力によって画像形成装置を再起動するなどの画像形成装置の異常解除の実行後、画像形成装置が画像形成を再開することになる。そのため、画像形成装置が何らかの異常によって画像形成を停止してから、すぐに画像形成装置による画像形成を再開してよい場合であっても、使用者による画像形成装置の異常解除の作業が必要となっていた。
【０００５】
本発明は、上記従来の問題点に鑑みなされたものであって、シートに画像を形成する画像形成動作中に画像形成装置の異常が発生し、画像形成動作が停止しても、特定の場合には、使用者による画像形成装置の異常解除の作業を要することなく、停止していた画像形成動作を再開できる画像形成装置を提供することである。
【課題を解決するための手段】
【０００６】
上記の課題を解決するために、本発明の一態様に係る画像形成装置は、商用電源から供給される電力を変換して出力電圧を出力する電源部と、前記出力電圧によって駆動する複数の駆動部を有し、前記複数の駆動部の駆動によってシートに画像を形成する画像形成動作を実行する画像形成部と、制御部と、を備え、前記制御部は、前記画像形成部が前記画像形成動作の実行中に、前記複数の駆動部からの少なくとも１つの異常信号の入力に応じて、前記画像形成部の前記画像形成動作を停止させ、入力された前記異常信号の数が２以上であって、かつ、前記異常信号を出力した２以上の前記駆動部のそれぞれに係る消費電力の総和が閾値よりも大きい場合である第１の場合において、前記画像形成部の停止中の前記画像形成動作を再開させる。
【０００７】
上記の課題を解決するために、本発明の一態様に係る画像形成装置の制御方法は、商用電源から供給される電力を変換して出力電圧を出力する電源部と、前記出力電圧によって駆動する複数の駆動部を有し、前記複数の駆動部の駆動によってシートに画像を形成する画像形成動作を実行する画像形成部と、制御部と、を備えた画像形成装置の制御方法であって、前記制御部が、前記画像形成部が前記画像形成動作の実行中に、前記複数の駆動部からの少なくとも１つの異常信号の入力に応じて、前記画像形成部の前記画像形成動作を停止させる停止ステップと、入力された前記異常信号の数が２以上であって、かつ、前記異常信号を出力した２以上の駆動部のそれぞれに係る消費電力の総和が閾値よりも大きい場合である第１の場合において、前記画像形成部の停止中の前記画像形成動作を再開させる再開ステップと、を含む。
【発明の効果】
【０００８】
本発明の一態様によれば、シートに画像を形成する画像形成動作中に画像形成装置の異常が発生し、画像形成動作が停止しても、特定の場合には、使用者による画像形成装置の異常解除の作業を要することなく、停止していた画像形成動作を再開できる画像形成装置を提供することができる。
【図面の簡単な説明】
【０００９】
【図１】（ａ）は、本発明の一実施形態に係るプリンタの概略構成を示す斜視図である。（ｂ）は、（ａ）に示したプリンタの内部構成を示す概念図である。
【図２】図１に示したプリンタの電気的構成を示すブロック図である。
【図３】画像形成処理の手順を示すフローチャートである。
【図４】各駆動部とその負荷量とが画像形成部の動作状態に応じて対応付けられたデータテーブルを示す概念図である。
【図５】負荷量取得処理の手順を示すフローチャートである。
【図６】用紙状態決定処理の手順を示すフローチャートである。
【発明を実施するための形態】
【００１０】
以下、本発明に係る画像形成装置を具体化した実施の形態について、図１〜図６を参照しながら詳細に説明する。本実施の形態は、電子写真方式のカラープリンタに本発明を適用したものである。なお、インクジェット方式のカラープリンタに本発明を適用してもよい。
【００１１】
〔プリンタの全体構成〕
本発明の一実施の形態に係るプリンタ１００は画像形成装置の一例であり、図１の（ａ）に示すように、画像形成部１０および操作パネル４０を備えている。画像形成部１０は、不図示のシートに画像を形成する画像形成動作を実行する。画像形成部１０の内部構成については後述する。
【００１２】
操作パネル４０は、表示部４１およびボタン群４２を有しており、プリンタ１００の動作状況を表示するとともにユーザによる入力操作を受け付ける。表示部４１は、画像形成部１０の上面に配置され、液晶ディスプレイで構成されている。ボタン群４２は、画像形成部１０の上面に表示部４１と隣接して配置され、スタートキー、ストップキーおよびテンキー等で構成されている。
【００１３】
〔プリンタの内部構成〕
次に、プリンタ１００の内部構成について説明する。プリンタ１００は、図１の（ｂ）に示すように、プロセス部６０と、定着装置８と、給紙トレイ９１および９２と、排出トレイ９６と、シートを搬送する部品の一例としての各種ローラ７１〜７４および７７と、シートを搬送する部品の一例としてのベルト７と、センサ６３・６４とを備えている。
【００１４】
プロセス部６０は、周知の電子写真方式によってトナー像を形成する。定着装置８は、プロセス部６０によって形成されたトナー像をシートに定着させる。給紙トレイ９１および９２には、印刷前のシートが載置される。排出トレイ９６には、印刷後のシートが載置される。各種ローラ７１〜７４および７７、ならびにベルト７は、シートを搬送する。センサ６３および６４は、シートの通過を検知する。
【００１５】
画像形成部１０の内部には、図１の（ｂ）中の一点鎖線で示された、給紙トレイ９１または９２に収容されたシートを排出トレイ９２に導く略Ｓ字形状の搬送路１１が形成されている。具体的には、この搬送路１１により、給紙トレイ９１または９２に収容されたシートが、給紙ローラ７１または７２、搬送ローラ７３、レジストローラ７４、プロセス部６０および定着装置８を通過し、排出ローラ７７を介して排出トレイ９２に導かれる。
【００１６】
プロセス部６０は、モノクロ画像に加えてカラー画像の形成が可能であり、イエロー（Ｙ）、マゼンタ（Ｍ）、シアン（Ｃ）およびブラック（Ｋ）の各色に対応する感光体１Ｙ、１Ｍ、１Ｃおよび１Ｋが並列に配置されている。なお、各感光体の配置順序は前記の配置順序に限定されない。また、プロセス部６０は、各感光体に対して露光を行うことにより各感光体上に静電潜像を形成する露光装置３Ｙ、３Ｍ、３Ｃおよび３Ｋを有している。
【００１７】
プロセス部６０では、感光体１Ｙ、１Ｍ、１Ｃおよび１Ｋの表面が不図示の帯電装置によって一様に帯電される。その後、露光装置３Ｙ、３Ｍ、３Ｃおよび３Ｋから照射される光によって露光が行われ、シートに形成すべき画像の静電潜像が各感光体の表面に形成される。そして、トナーが、不図示の現像装置を介して各感光体に供給される。これにより、各感光体上の静電潜像がトナー像として可視像化される。
【００１８】
画像形成部１０は、給紙トレイ９１または９２に載置されているシートを１枚ずつ取り出し、そのシートを搬送路１１に搬送する。そして、画像形成部１０は、プロセス部６０にて形成されたトナー像をそのシートに転写する。このとき、カラー印刷では、感光体１Ｙ、１Ｍ、１Ｃおよび１Ｋのそれぞれにトナー像が形成され、シート上で各トナー像が重ね合せられる。一方、モノクロ印刷では、感光体１Ｋ上にのみトナー像が形成されてシートに転写される。その後、画像形成部１０は、トナー像が転写されたシートを定着装置８に搬送してトナー像をそのシートに熱定着させ、定着後のシートを排出トレイ９６に排出する。
【００１９】
ベルト７は、ローラ７５および７６の巻回された無端状のベルト部材である。ローラ７６は、駆動モータ７９によって回転駆動される駆動ローラである。ベルト７は、ローラ７６が回転駆動されることにより、紙面向かって時計回りに循環移動する。ローラ７５は、ベルト７の循環移動に従動して回転する。これにより、ベルト７の上面に載置されたシートが、レジストローラ７４側から定着装置８側に向けて搬送される。
【００２０】
〔プリンタの電気的構成〕
次に、プリンタ１００の電気的構成について説明する。プリンタ１００は、図２に示すように、画像形成部１０と、操作パネル４０と、電源部の一例としての低圧電源５０と、それぞれ電気的に接続された制御部３０を備えている。
【００２１】
制御部３０は、図２に示すように、ＡＳＩＣ３１と、ＲＡＭ３２と、ＲＯＭ３３とを有している。ＲＯＭ３３には、プリンタ１００を制御するための各種制御プログラム、各種設定、初期値等が記憶されている。ＲＡＭ３２は、各種制御プログラムが読み出される作業領域として、あるいは画像データを一時的に記憶する記憶領域として利用される。低圧電源５０は、不図示の商用電源から供給される電力を出力電圧に変換し、該出力電圧をプリンタ１００の各構成要素に出力する。
【００２２】
ＡＳＩＣ３１は、特定用途向け集積回路であり、制御部３０が有しているＲＯＭ３３から読み出した制御プログラム、センサ６３および６４から入力された信号に従って、画像形成部１０などのプリンタ１００の各構成要素を統括的に制御する。また、ＡＳＩＣ３１は、制御プログラム等による処理結果をＲＡＭ３２に記憶させる。なお、制御部３０は、ＡＳＩＣ３１に替えてＣＰＵを有していてもよい。
【００２３】
画像形成部１０（複数の駆動部の一例）は、複数の駆動部２１〜２５を有している。駆動部２１はメインモータ、駆動部２２はプロセスモータ、駆動部２３はポリゴンモータ、駆動部２４はファン、駆動部２５は高圧電源である。
【００２４】
駆動部２１（メインモータ）は、給紙ローラ７１および７２、搬送ローラ７３、ならびに定着装置などを駆動するモータである。駆動部２２（プロセスモータ）は、現像装置、感光体１Ｙ、１Ｍ、１Ｃおよび１Ｋならびにベルト７などを駆動するモータである。駆動モータ７９はプロセスモータの一種となる。駆動部２３（ポリゴンモータ）は、露光装置３Ｙ、３Ｍ、３Ｃおよび３Ｋなどを駆動するモータである。駆動部２４（ファン）は、プリンタ１００の外部の空気を画像形成部１０の内部に取り込むためのファンである。駆動部２４（ファン）は、不図示のダクトを介して、帯電装置に向けて取り込んだ空気を送り出す。
【００２５】
駆動部２５（高圧電源）は、不図示の電圧供給回路と、不図示の分圧回路と、不図示の可変回路とを有している。電圧供給回路は、正の供給電圧を生成し、該供給電圧を分圧回路および可変回路に出力する。分圧回路は、電圧供給回路が出力した供給電圧を分圧して第１印加電圧を生成する。可変回路は、電圧供給回路が出力した供給電圧を第２印加電圧に変更する。分圧回路は、生成した第１印加電圧を、プロセス部６０の帯電装置におけるブラックに対応する不図示の帯電ローラに出力する。可変回路は、変更した第２印加電圧を、帯電装置におけるイエローに対応する不図示の帯電ローラに出力する。
【００２６】
〔画像形成処理〕
次に、制御部３０のＡＳＩＣ３１が画像形成部１０の画像形成処理のフローチャートについて説明する。
【００２７】
図３の画像形成処理のフローチャートでは、ＡＳＩＣ３１は、図３に示すようにＮの値を初期値０に設定してＲＡＭ３２に記憶させる（Ｓ１０１）。「Ｎ」は、駆動部２１〜２５の中で異常信号を出力した２以上の駆動部２１〜２５のそれぞれに係る負荷量の総和が閾値よりも大きくなった回数である。
【００２８】
画像形成部１０が有する駆動部２１〜２５とそれらの負荷量とは、画像形成部１０の動作状態に応じて対応付けられ、図４に示すようなデータテーブルとして例えば制御部３０のＲＯＭ３３に予め記憶されている。負荷量は、駆動部２２（プロセスモータ）について、その全速印刷中の消費電力を基準としたときの、駆動部２１〜２５のそれぞれに係る相対的な消費電力である。全速印刷は、画像形成部１０が標準の動作速度で画像形成動作を実行することを指す。なお、全速印刷中であることは、画像形成動作が実行中であるの一例である。本実施形態では、図４に示すように、駆動部２２（プロセスモータ）の全速印刷中の負荷量が基準値「１０」として予め決定されている。なお、基準値として「１０」以外の数値を用いてもよい。また、駆動部２２（プロセスモータ）以外の駆動部２１、駆動部２３〜２５の全速印刷中の負荷量を基準として、駆動部２１〜２５のそれぞれに係る負荷量を決定してもよい。
【００２９】
負荷量は、図４に示すように、例えば駆動部２１（メインモータ）について言えば、全速印刷中の負荷量を「８」として半速印刷中の負荷量を「４」とするなど、画像形成部１０の動作状態に応じて予め決定されている。ここで、半速印刷が、画像形成部１０が標準の動作速度の１／２の動作速度で画像形成動作を実行することを指すことから、半速印刷中の負荷量は全速印刷中の負荷量の１／２となっている。なお、半速印刷中であることも、画像形成動作が実行中であるの一例である。
【００３０】
画像形成部１０の動作状態としては、全速印刷および半速印刷の他、駆動部２５（高圧電源）について言えば、画像形成部１０が印刷している状態およびクリーニングしている状態が含まれる。また上記動作状態としては、駆動部２２（プロセスモータ）について言えば、カラー印刷およびモノクロ印刷が含まれる。
【００３１】
なお、本実施形態では半速印中の負荷量を例に挙げているが、この例に限定されない。つまり、画像形成部１０が標準の動作速度よりも遅い動作速度で画像形成動作を、あるいはモノクロ印字（駆動対象が減る）やクリーニング（出力電圧が下がる）のように出力が軽減されたモード動作を実行する場合の負荷量が、全速印刷中の負荷量と併せて予め決定されていればよい。
【００３２】
なお、上記駆動部２１〜２５について、画像形成部１０の動作状態に応じた負荷量のすべてについて、予め決定済の数値がＲＯＭ３３に記憶されている必要はない。例えば、全速印刷中の負荷量についてのみ予め決定済の数値をＲＯＭ３３に記憶しておき、半速印刷中の負荷量については、ＡＳＩＣ３１が、全速印刷中の負荷量に１／２を乗じる計算を行って計算結果をＲＯＭ３３に記憶させてもよい。
【００３３】
閾値は、商用電源から低圧電源５０に供給される電力の瞬間的な一時的な停止が起きた場合に、画像形成部１０における駆動部２１〜２５のうち２以上の駆動が同時に異常になる可能性が高いか否かの判断基準となる値である。異常信号を出力した２以上の駆動部２１〜２５のそれぞれに係る負荷量の総和が閾値よりも大きければ、ＡＳＩＣ３１は、該２以上の駆動部２１〜２５の駆動が同時に異常になる可能性が高いと判定する。閾値は、プリンタ１００の性能等に応じて任意に設定することができ、例えば制御部３０のＲＯＭ３３に予め記憶されている。
【００３４】
Ｓ１０１の後、ＡＳＩＣ３１が、図３に示すように操作パネル４０によるユーザの入力操作の受け付けによって画像形成部１０に印刷指令を出力した場合（Ｓ１０２：ＹＥＳ）、画像形成部１０は画像形成動作を実行する（Ｓ１０３）。上記入力操作の受け付けがない場合、ＡＳＩＣ３１は画像形成部１０に印刷指令を出力せず、上記入力操作の受け付けがあるまで待機する（Ｓ１０２：ＮＯ）。
【００３５】
ＡＳＩＣ３１は、画像形成部１０による画像形成動作の実行中に異常信号が制御部３０に全く入力されなかった場合（Ｓ１０４：ＮＯ）、画像形成動作が終了することによって（Ｓ１１５：ＹＥＳ）シート１枚分の印刷が完了する。画像形成動作が終了しない間は、ＡＳＩＣ３１は、異常信号の入力の検知を継続する（Ｓ１１５：ＮＯ）。
【００３６】
一方、画像形成部１０による画像形成動作の実行中に少なくとも１以上の異常信号が制御部３０に入力された場合（Ｓ１０４：ＹＥＳ）、ＡＳＩＣ３１は負荷量取得処理を実行する（Ｓ１０５）。
【００３７】
〔負荷量取得処理〕
図５の負荷量取得処理では、ＡＳＩＣ３１は、略同時に２以上の異常信号が入力されたか否かを判断する（Ｓ２０１）。ＡＳＩＣ３１は、制御部３０に異常信号が１つのみ入力された場合（Ｓ２０１：ＮＯ）、負荷量取得処理を終了する。
【００３８】
ＡＳＩＣ３１は、制御部３０に異常信号が略同時に２以上入力された場合（Ｓ２０１：ＹＥＳ）、Ｓ２０２に進む。ＡＳＩＣ３１は、異常信号を出力した駆動部２１〜２５を特定する（Ｓ２０２）。その後、ＡＳＩＣ３１は、画像形成部１０の動作状態を検出する（Ｓ２０３）。
【００３９】
Ｓ２０３の後、ＡＳＩＣ３１は、データテーブルをＲＯＭ３３から呼び出し、Ｓ２０２での特定結果およびＳ２０３の検出結果とデータテーブルとを対比することにより、異常信号を出力した２以上の駆動部２１〜２５における画像形成部１０の動作状態に応じた負荷量を、それぞれ特定する。ＡＳＩＣ３１は、異常信号を出力した２以上の駆動部２１〜２５の負荷量の総和を算出する（Ｓ２０４）。
【００４０】
Ｓ２０４の後、ＡＳＩＣ３１は、算出した負荷量の総和をＲＡＭ３２に記憶させる。以上のＳ２０１〜Ｓ２０４の処理が実行されることにより、負荷量取得処理が完了する。
【００４１】
〔画像形成部の動作状態に応じた負荷量の総和の算出例〕
画像形成部１０が全速印刷している場合（画像形成部が標準の動作速度で画像形成動作を実行する場合の一例）、ＲＯＭ３３に記憶されている図４のデータテーブルには、駆動部２１（メインモータ）の負荷量は「８」、駆動部２２（プロセスモータ）の負荷量は「１０」、駆動部２３（ポリゴンモータ）の負荷量は、「８」、駆動部２４（ファン）の負荷量は「６」と予め決定された値がそれぞれ記憶されている。
【００４２】
駆動部２１（メインモータ）は、第１駆動部の一例であり、駆動部２２（プロセスモータ）は、第２駆動部の一例である。全速印刷のときの駆動部２１（メインモータ）の負荷量は、第１標準消費電力の一例であり、全速印刷のときの駆動部２２（プロセスモータ）の負荷量は、第２標準消費電力の一例である。
【００４３】
例えば、駆動部２１（メインモータ）および駆動部２２（プロセスモータ）が出力する異常信号が制御部３０に略同時に入力された場合、全速印刷のときの負荷量の総和は「１８」となる。例えば、駆動部２２（プロセスモータ）、および、駆動部２３（ポリゴンモータ）、および、駆動部２４（ファン）が出力する異常信号が制御部３０に略同時に入力された場合、全速印刷のときの負荷量の総和は、「２４」となる。
【００４４】
画像形成部１０が半速印刷している場合（画像形成部が標準の動作速度よりも遅い動作速度で画像形成動作を実行する場合の一例）、ＲＯＭ３３に記憶されている図４のデータテーブルには、駆動部２１（メインモータ）の負荷量は「４」、駆動部２２（プロセスモータ）の負荷量は「５」、駆動部２３（ポリゴンモータ）の負荷量は、「４」、駆動部２４（ファン）の負荷量は「３」と予め決定された値がそれぞれ記憶されている。
【００４５】
半速印刷のときの駆動部２１（メインモータ）の負荷量は、第１低速消費電力の一例であり、半速印刷のときの駆動部２２（プロセスモータ）の負荷量は、第２低速消費電力の一例である。
【００４６】
例えば、駆動部２１（メインモータ）および駆動部２２（プロセスモータ）が出力する異常信号が制御部３０に略同時に入力された場合、半速印刷のときの負荷量の総和は「９」となる。例えば、駆動部２２（プロセスモータ）、および、駆動部２３（ポリゴンモータ）、および、駆動部２４（ファン）が出力する異常信号が制御部３０に略同時に入力された場合、全速印刷のときの負荷量の総和は、「１２」となる。
【００４７】
制御部３０に略同時に異常信号を入力した駆動部２１〜２５の種類が同じであっても、画像形成部１０の状態（全速印刷、半速印刷）によって、負荷量の総和の算出値を変更することができる。
【００４８】
負荷取得処理が完了した後、ＡＳＩＣ３１は、図３に示すように画像形成部１０の画像形成動作を停止させる（Ｓ１０６）。Ｓ１０６が、本発明に係る停止ステップの一例である。Ｓ１０６の後、ＡＳＩＣ３１は第１の場合であるか否かを決定する（Ｓ１０７）。
【００４９】
略同時に入力された異常信号の数が２以上であって、かつ、異常信号を出力した２以上の駆動部２１〜２５のそれぞれに係る負荷量の総和が閾値よりも大きい場合を「第１の場合」とする。
【００５０】
第１の場合ではないと決定した場合（Ｓ１０７：ＮＯ）、ＡＳＩＣ３１は、画像形成部１０の画像形成動作を再開させることなく停止を継続させる（Ｓ１１６）。一方、第１の場合であると決定した場合（Ｓ１０７：ＹＥＳ）、ＡＳＩＣ３１は、直近のＮの値に「１」をプラスして新たに「Ｎ＝Ｎ＋１」とし、更新値をＲＡＭ３２に記憶させる（Ｓ１０８）。
【００５１】
Ｓ１０８の後、ＡＳＩＣ３１は、Ｓ１０８にて更新したＮの値、つまりＡＳＩＣ３１が第１の場合であると決定した回数が、所定回数よりも少ないか否かを確認する（Ｓ１０９）。所定回数は、第１の場合が頻繁に起こっているか否かの判断基準となる。Ｎの値が所定回数以上であれば、ＡＳＩＣ３１は、第１の場合が頻繁に起こっている、つまり、商用電源の異常が継続している、または低圧電源５０に異常が発生していると判定する。所定回数も閾値と同様、プリンタ１００の性能等に応じて任意に設定することができ、例えば制御部３０のＲＯＭ３３に予め記憶されている。
【００５２】
Ｎの値が所定回数以上であった場合（Ｓ１０９：ＮＯ）、ＡＳＩＣ３１は、画像形成部１０の画像形成動作を再開させることなく停止を継続させる（Ｓ１１６）。一方、Ｎの値が所定回数以上であった場合（Ｓ１０９：ＹＥＳ）、ＡＳＩＣ３１は用紙状態決定処理を実行する（Ｓ１１０）。
【００５３】
用紙状態決定処理における「用紙状態」には、（i）画像形成動作の停止前にシートが画像形成部１０内を搬送されていなかった、（ii）画像形成動作の停止前にシートが画像形成部１０内を搬送されており、かつ、一旦停止した画像形成動作を再開してもシートが排出可能である、（iii）画像形成動作の停止前にシートが画像形成部１０内を搬送されていたものの、一旦停止した画像形成動作を再開するとシートが画像形成部１０内で詰まる可能性がある、の３つの状態が含まれる。以下、シートが画像形成部１０内で詰まってしまうことを「用紙ＪＡＭ」と称する。
【００５４】
用紙状態決定処理ではまず、図６に示すように、制御部３０に異常信号が入力された時点で、例えば画像形成部１０内に設置された不図示のセンサによって、シートが画像形成部１０内を搬送されていたことが検知される（Ｓ３０１）。シートが画像形成部１０内を搬送されていない場合（Ｓ３０１：ＮＯ）、ＡＳＩＣ３１は、用紙状態が上記（i）の状態であると決定する（Ｓ３０４）。用紙状態が上記（i）の状態であることは、図３および図６では「シート搬送なし」で表されている。
【００５５】
シートが画像形成部１０内を搬送されていた場合（Ｓ３０１：ＹＥＳ）、ＡＳＩＣ３１は、異常信号を出力した２以上の駆動部２１〜２５の中に駆動部２２（プロセスモータ）が含まれていないことを確認する（Ｓ３０２）。駆動部２２（プロセスモータ）が含まれていないことを確認できた場合（Ｓ３０２：ＹＥＳ）、ＡＳＩＣ３１は、用紙状態が上記（ii）の状態であると決定する（Ｓ３０５）。用紙状態が上記（ii）の状態であることは、図３および図６では「シート排出可能」で表されている。
【００５６】
ここで、ＡＳＩＣ３１が、異常信号を出力した２以上の駆動部２１〜２５の中に駆動部２２（プロセスモータ）が含まれていないことを確認するのは、一旦停止した画像形成動作が再開することによって用紙ＪＡＭが発生するのを防止するためである。駆動部２２（プロセスモータ）は、ベルト７などのシートを搬送する部品を駆動するモータであるところ、駆動部２２（プロセスモータ）からの異常信号の出力が一因となって画像形成動作が停止することは、シートの搬送が一旦停止されたことを意味する。この場合に一旦停止した画像形成動作を再開すると、例えばシートを搬送する部品に干渉した状態からシートの搬送が再開されることから、シートが上記部品に引っ掛かって用紙ＪＡＭが発生する可能性がある。そのため、ＡＳＩＣ３１は、異常信号を出力した２以上の駆動部２１〜２５の中に駆動部２２（プロセスモータ）が含まれていないことを確認する。
【００５７】
なお、ＡＳＩＣ３１がＳ３０２にて確認する駆動部２２（プロセスモータ）に限定されない。
【００５８】
一方、駆動部２２（プロセスモータ）が含まれていないことを確認できなかった場合（Ｓ３０２：ＮＯ）、ＡＳＩＣ３１は、用紙状態が上記（iii）の状態であると決定する（Ｓ３０３）。用紙状態が上記（iii）の状態であることは、図６では「用紙ＪＡＭ可能性あり」で表されている。以上のＳ３０１〜Ｓ３０５の処理が実行されることにより、用紙状態決定処理が完了する。
【００５９】
用紙状態決定処理が完了した後、ＡＳＩＣ３１は、図３に示すように上記（i）の状態であることを決定したのであれば（Ｓ１１１：ＹＥＳ）、画像形成部１０の停止中の画像形成動作を再開させる（Ｓ１１４）。Ｓ１１４が、本発明に係る再開ステップの一例である。Ｓ１１４の後、ＡＳＩＣ３１は再びＳ１０４以下の各処理を実行する。
【００６０】
ここで、上記（i）の状態のときに画像形成動作を再開させるのは、画像形成動作の停止前にシートが画像形成部１０内を搬送されていないのであれば、画像形成動作を再開させても用紙ＪＡＭが発生する可能性がないためである。
【００６１】
上記（i）の状態であることを決定せずに（Ｓ１１１：ＮＯ）、かつ上記（ii）の状態であることを決定した場合（Ｓ１１２：ＹＥＳ）、ＡＳＩＣ３１は、画像形成部１０の画像形成動作中のシートの排出動作を完了させる（Ｓ１１３）。Ｓ１１３の後、ＡＳＩＣ３１は画像形成動作を再開させる（Ｓ１１４）。この場合の画像形成動作の再開は、具体的には、上記排出動作が完了した画像形成動作を別のシートへの画像形成動作を再開させることを意味する。Ｓ１１４の後の処理は上記と同様である。
【００６２】
一方、上記（i）の状態であることを決定せずに（Ｓ１１１：ＮＯ）、かつ上記（ii）の状態であることも決定しなかった場合（Ｓ１１２：ＮＯ）、つまり上記（iii）の状態であることを決定した場合、ＡＳＩＣ３１は、画像形成部１０の画像形成動作を再開させることなく停止を継続させる（Ｓ１１６）。以上のＳ１０１〜Ｓ１１６の処理が実行されることにより、画像形成処理が完了する。
【００６３】
〔効果〕
従来の画像形成装置では、画像形成動作を停止した場合、使用者の画像形成装置への操作等が必要であった。一方、本実施の形態に係るプリンタ１００では、使用者によるプリンタ１００への操作等がなくても、第１の場合であれば画像形成部１０の停止中の画像形成動作を再開させることができる。
【００６４】
すなわち、異常信号を出力した２以上の駆動部２１〜２５の消費電力の総和が閾値以下の場合、仮に、商用電源から低圧電源５０に供給される電力の瞬間的かつ一時的な停止が起きたとしても、駆動部２１〜２５のうち２以上の駆動が同時に異常になる可能性は低い。一方、上記消費電力の総和が閾値よりも大きい場合において上記電力の瞬間的かつ一時的な停止が起きると、駆動部２１〜２５のうち２以上に充分な電力が供給されないことになるため、駆動部２１〜２５のうち２以上が同時に停止するなどの異常が発生する可能性が高くなる。また、上記電力の瞬間的かつ一時的な停止などの異常は、商用電源がすぐに復旧して発生しなくなる可能性が高い。そこで、制御部３０のＡＳＩＣ３１は、異常信号の入力に応じて画像形成部１０の画像形成動作を停止させた際、第１の場合において、画像形成部の停止中の画像形成動作を再開させることができる。
【００６５】
また、第１の場合が所定回数以上になった場合、すなわち第１の場合が頻繁に生じた場合、商用電源の異常が継続しているか、または低圧電源５０に異常が発生している可能性が高い。そこで本実施の形態に係るプリンタ１００では、制御部３０のＡＳＩＣ３１が、第１の場合が所定回数以上になると、画像形成動作を再開させることなく停止を継続させる。
【００６６】
また、本実施の形態に係るプリンタ１００では、カラー印刷、モノクロ印刷、全速印刷および半速印刷など、画像形成部１０のそれぞれの動作状態に応じて、複数の駆動部２１〜２５のそれぞれに係る負荷量が予め決定されている。これにより、プリンタ１００は、上記動作状態に応じて負荷量が予め決定されていない場合と比べてより適切に消費電力の総和を決定することができる。
【００６７】
また、本実施の形態に係るプリンタ１００では、制御部３０のＡＳＩＣ３１は、第１の場合であっても、画像形成動作の停止時点でシートが画像形成部１０内を搬送されており、かつ、異常信号を出力した２以上の駆動部２１〜２５のうちの少なくとも１つがシートを搬送する部品を動作させる駆動部２２（プロセスモータ）であった場合は、画像形成動作を再開させることなく停止を継続させる。これにより、一旦停止した画像形成動作が再開することによって用紙ＪＡＭが発生するのを防止することができる。
【００６８】
また、本実施の形態に係るプリンタ１００では、制御部３０のＡＳＩＣ３１は、画像形成部１０の画像形成動作を停止させた後、用紙ＪＡＭ発生の可能性がないと決定すると、画像形成動作中のシートの排出動作を完了させる。そして、画像形成動作を別のシートへの画像形成動作を再開させる。これにより、一旦停止した画像形成動作が再開しても、画像形成部１０が正常に画像形成動作を実行して形成された画像と同程度の外観の画像を形成することができる。
【００６９】
〔変形例〕
プリンタ１００は本実施の形態に限定されない。例えば、制御部３０のＡＳＩＣ３１は、負荷量の総和に替えて消費電力の総和を算出してもよい。この場合、ＡＳＩＣ３１は、異常信号を出力した２以上の駆動部２１〜２５のそれぞれに係る消費電力の総和と閾値とを比較することにより、第１の場合か否かを判断する。上記消費電力は、画像形成動作の実行中の消費電力を指す。またこの場合、閾値の値は消費電力に対応した値となる。さらに、制御部３０のＲＯＭ３３には、図４のデータテーブルに替えて、駆動部２１〜２５のそれぞれとその消費電力とが画像形成部の動作状態に応じて対応付けられた不図示のデータテーブルが記憶される。
【００７０】
また例えば、ＡＳＩＣ３１は、第１の場合であると決定した回数が所定回数以上か否かを確認する処理を実行しなくてもよい。この場合、ＡＳＩＣ３１は、画像形成動作を再開させることなく停止を継続させる処理も行わない。さらに、ＡＳＩＣ３１は用紙状態決定処理を実行しなくてもよい。この場合、ＡＳＩＣ３１は、画像形成部１０の画像形成動作中のシートの排出動作も実行しない。
【００７１】
以上のことから、プリンタ１００は、制御部３０が、画像形成部１０による画像形成動作の実行中に５つの駆動部２１〜２５から少なくとも１つの異常信号を入力されたことをトリガとして、画像形成部１０の画像形成動作を停止させるものであればよい。また、プリンタ１００は、制御部３０に入力された異常信号の数が２以上であって、かつ、異常信号を出力した２以上の駆動部２１〜２５のそれぞれに係る消費電力の総和が閾値よりも大きい場合である第１の場合において、画像形成部１０の停止中の画像形成動作を再開させるものであればよい。
【００７２】
〔ソフトウェアによる実現例〕
プリンタ１００の制御ブロック、特に制御部３０は、ＩＣチップなどの集積回路等に形成された論理回路、すなわちハードウェアによって実現してもよいし、ソフトウェアによって実現してもよい。後者の場合、プリンタ１００は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。
【００７３】
上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体を介して上記コンピュータに供給されてもよい。上記伝送媒体としては、通信ネットワークや放送波等が挙げられる。なお、本発明の一態様は、上記プログラムが電子的な伝送によって具現化された、搬送波に埋め込まれたデータ信号の形態でも実現され得る。
【００７４】
〔付記事項〕
本発明は上述した実施の形態および変形例に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【符号の説明】
【００７５】
７          ベルト
１０        画像形成部
２１        駆動部（メインモータ）
２２        駆動部（プロセスモータ）
２３        駆動部（ポリゴンモータ）
２４        駆動部（ファン）
２５        駆動部（高圧電源）
３０        制御部
５０        低圧電源
７１、７２  給紙ローラ
７３        搬送ローラ
７４        レジストローラ
７７        排出ローラ
１００      プリンタ
【図１】
2020166062.tif 000003
【図２】
2020166062.tif 000004
【図３】
2020166062.tif 000005
【図４】
2020166062.tif 000006
【図５】
2020166062.tif 000007
【図６】
2020166062.tif 000008